(57)【要約】【課題】使用者に負担がかかることなく、背中側からずれ落ちることのないたたきマッサージ機の提供を目的とする。【解決手段】本発明のたたきマッサージ機１は、全体がＵ字状に形成された本体部２と、この本体部２の長さ方向の中間部２１に固定されて人体をマッサージ可能なマッサージ機構３と、このマッサージ機構３の駆動を操作する操作部４と、前記本体部２に設けられて使用者に対して本体部２の滑りを抑制する滑り止め部材５とを備えた。【選択図】図１
2012040175.tif 000002
【特許請求の範囲】
【請求項１】
全体がＵ字状に形成された本体部と、この本体部の長さ方向の中間部に固定されて人体をマッサージ可能なマッサージ機構と、このマッサージ機構の駆動を操作する操作部と、前記本体部に設けられて使用者に対して本体部の滑りを抑制する滑り止め部材とを備えたことを特徴とするたたきマッサージ機。
【請求項２】
請求項１記載のたたきマッサージ機であって、
前記本体部が、前記マッサージ機を固定するマッサージ機取付部と、このマッサージ機取付部の両側に設けられた一対の袖部とで形成され、
前記滑り止め部材は、前記マッサージ機取付部の両側にそれぞれ設けられていることを特徴とするたたきマッサージ機。
【請求項３】
請求項１または２に記載のたたきマッサージ機であって、
前記本体部が表面側の表地と裏面側の裏地とで袋状に形成され、
前記マッサージ機構は前記表地と前記裏地との間に設けられ、
前記滑り止め部材は、前記裏地に設けられていることを特徴とするたたきマッサージ機。
【請求項４】
請求項１〜３のいずれか一項に記載のたたきマッサージ機であって、
前記滑り止め部材は、前記裏地表面から突出する凸部材からなることを特徴とするたたきマッサージ機。
【発明の詳細な説明】
【技術分野】
【０００１】
本発明は、首の周りに巻き掛けて使用するたたきマッサージ機に関するものである。
【背景技術】
【０００２】
首の周りに巻き掛けて使用し、首周りや肩を効果的にマッサージするたたきマッサージ機が従来より提案されている。
【０００３】
このようなたたきマッサージ機では、首の周りに巻き掛ける略Ｕ字状に形成された本体部と、この本体部の両側の先端部に設けた把持部とを備えており、本体部の裏面側に人体をマッサージするソレノイドを有するマッサージ部が設けられている。そして、首に本体部を巻き掛けた状態でマッサージ部を作動させることで、肩や首周りがマッサージされる。
【０００４】
ところが、マッサージの効果を上げるためにマッサージ部に大きなソレノイドを使用すると、全体の重量が重くなり、特に本体部の首周り部分が重くなるためたたきマッサージ機が背中側からずり落ちてしまう。
【０００５】
そこで、本体部の両側の先端部、すなわち袖部に錘を配置したたたきマッサージ機が特許文献１で提案されている。
【０００６】
このたたきマッサージ機（首、肩マッサージャ）は、本体部の両側の袖部に所定のウェイトが内蔵されている。このウェイトが内蔵されていることにより、両肩部位の周囲にマッサージ部分が確実にフィットでき、袖部のウェイトによって、ずり落ちることがない。
【先行技術文献】
【特許文献】
【０００７】
【特許文献１】特開２００２−６８５号公報
【発明の概要】
【発明が解決しようとする課題】
【０００８】
しかしながら、特許文献１のたたきマッサージ機では、たたきマッサージ機の本体の機能に使用されることのないウェイトを両袖部に設けているので、製品として総重量が重くなる。
【０００９】
このため、使用者がたたきマッサージ機を首周りに（肩に）掛けるだけでも手間がかかり、また、総重量が重くなるため装着した使用者の負担が大きい。
【００１０】
さらには、首周り以外でたたきマッサージ機を使用する場合にはたたきマッサージ機の重量のほとんどを手で支えることになるので、使用者の負担が大きい。
【００１１】
そこで、本発明は、使用者に負担がかかることなく、背中側からずれ落ちることのないたたきマッサージ機の提供を目的とする。
【課題を解決するための手段】
【００１２】
上記の課題を解決するために、請求項１記載の発明は、全体がＵ字状に形成された本体部と、この本体部の長さ方向の中間部に固定されて人体をマッサージ可能なマッサージ機構と、このマッサージ機構の駆動を操作する操作部と、前記本体部に設けられて使用者に対して本体部の滑りを抑制する滑り止め部材とを備えたことを特徴とする。
【００１３】
請求項２の発明は、請求項１記載のたたきマッサージ機であって、前記本体部が、前記マッサージ機を固定するマッサージ機取付部と、このマッサージ機取付部の両側に設けられた一対の袖部とで形成され、前記滑り止め部材は、前記マッサージ機取付部の両側にそれぞれ設けられていることを特徴とする。
【００１４】
請求項３の発明は、請求項１または２に記載のたたきマッサージ機であって、前記本体部が表面側の表地と裏面側の裏地とで袋状に形成され、前記マッサージ機構は前記表地と前記裏地との間に設けられ、前記滑り止め部材は、前記裏地に設けられていることを特徴とする。
【００１５】
請求項４の発明は、請求項１〜３のいずれか一項に記載のたたきマッサージ機であって、  前記滑り止め部材は、前記裏地表面から突出する凸部材からなることを特徴とする。
【発明の効果】
【００１６】
本発明は、マッサージ装置に余計な錘を配置することなくマッサージ装置が背中側から落下するのを防止することができるので、マッサージ装置の使用者の負担を軽減することができる。
【図面の簡単な説明】
【００１７】
【図１】本発明の肩たたき機を装着した全体斜視図。
【図２】本発明の肩たたき機を装着した拡大斜視図。
【図３】本発明のマッサージ機構の簡略拡大図。
【図４】本発明の肩たたき機を装着した簡略側面図。
【図５】（ａ）人体の鎖骨を示す斜視図、（ｂ）人体の肩の丸みを示す側面図。
【図６】実施例１に記載の滑り止め素材を設けた肩たたき機の拡大図。
【図７】実施例２に記載の凸条部材を設けた肩たたき機の拡大図。
【図８】実施例２に記載の凸条部材を設けた肩たたき機の簡略側面図。
【図９】（ａ），（ｂ）本発明の肩たたき機を肩以外に使用した例を示す図。
【発明を実施するための形態】
【００１８】
以下、本発明の実施の形態について、図面を用いて詳細に説明する。
【００１９】
＜実施例１＞
本実施形態のたたきマッサージ機１は、図１，２に示すように、人体１９の首や肩の周囲に当接するようにＵ字状に形成された本体部２と、この本体部２の長さ方向の中間部に固定されて人体１９をマッサージ可能なマッサージ機構３と、このマッサージ機構３（図３参照）の駆動を操作する操作部４と、本体部２に形成されて使用者がたたきマッサージ機１を使用する際に本体部２の滑りを抑制する滑り止め部材５とから構成されている。
【００２０】
本体部２は、Ｕ字状に形成され、表面側の表地６と裏面側のメッシュ状の裏地７（図６，７参照）とで袋状に形成されている。また、本体部２は、マッサージ機構３を固定するマッサージ機構取付部８と、このマッサージ機構取付部８の両側に設けられた一対の袖部９と、滑り止め部材５が取り付けられる滑り止め取付部１０とが形成されている。
【００２１】
この本体部２の中間部２１は、袖部９よりも幅広に形成されており、袖部９側に向かうにつれて幅が狭くなっており、本体部２の長手方向の中間部２１にマッサージ機構取付部８が設けられている。
【００２２】
マッサージ機構取付部８は、板状の固定部１４が表地６と裏地７との間に形成されており、固定部１４の上に載置されるようにしてマッサージ機構３が固定されている。
【００２３】
マッサージ機構３は、図３に示すように、本体部２の長さ方向の中間部の表地６と裏地７との間に設けられ、後述するマッサージ機構取付部８に取り付けられている。マッサージ機１の作動により磁気作用を利用する円筒状のソレノイド１１と、ソレノイド１１に収容され、所定のプログラムに基づいてマッサージ機１使用者にマッサージを施す円筒状のプランジャー１２と、ソレノイド１１及びプランジャー１２の近傍にマッサージ機構３の制御を行う制御基板１３とで形成され、後述する操作部４によって操作されている。
【００２４】
マッサージ機構取付部８の両側には、一対の袖部９が設けられ、袖部９の末端方向には、端部１５が形成されている。この端部１５のどちらか一方の表地６に、後述する操作部４が形成されている。この端部１５のどちらか一方の先端には磁石２３が内蔵されており、他方の先端には図示せぬ鉄板が内蔵され、磁石２３の磁力による吸着力によって端部１５を連結することができる。また、端部１５の先端にはそれぞれ把持部１６が設けられ、マッサージ機１使用者が把持部１６を把持することができる。
【００２５】
この把持部１６は、帯状のひもで本体部２に沿って縫い付けられ、両端が輪２２になっている。この輪２２に形成された把持部１６をマッサージ機１使用者が引っ張ることでマッサージ機１使用者の好みの強度に応じて使用することができる。
【００２６】
操作部４は、表地６に設けられ、どちらか一方の端部１５に配置され、本実施例の図１では左側の端部１５に配置されている。この操作部４は、制御基板１３と接続されてマッサージ機１使用者がマッサージ機構３の作動又は停止、マッサージの強度の変更を指示するスイッチ１７が形成されている。
【００２７】
滑り止め取付部１０は、本体部２の裏地７に設けられ、マッサージ機構取付部８の両側に配置されている。
【００２８】
滑り止め部材５は、図６に示すように、四角形状の摩擦力を有する素材であって、本体部２の裏地７に設けられた滑り止め取付部１０に固定されている。
【００２９】
この滑り止め部材５は、マッサージ機１使用者の着用している衣服との間に生じる摩擦力によって、マッサージ機１が背中側（図４矢印方向）から滑り落ちるのを防止している。また、滑り止め部材５が配置される位置は、図５（ａ），（ｂ）に示すように、マッサージ機１を使用する人体１９の丸み２４又は凹凸（鎖骨２５等）に触れる位置に形成されている。
【００３０】
このように、滑り止め部材５を人体１９の丸み２４又は凹凸に触れる位置に形成することによって、摩擦力によりマッサージ機１が背中側から落下するのを防止することができるので、マッサージ機１に余計な錘を設けることなくマッサージ機１使用者の負担を軽減することができる。
【００３１】
また、滑り止め部材５に摩擦係数が高い素材を使用することによって、マッサージ機１使用者が着ている衣服との間に生じる摩擦力が大きくなりマッサージ機１が落下するのを防止することができる。
【００３２】
なお、本実施例では、滑り止め部材５は、四角形状となっているが、他の形状であっても良い。すなわち、滑り止め部材５が人体１９の丸み２４又は凹凸に触れる位置であれば、どのような形状でも良い。また、本実施例の滑り止め部材５は、マッサージ機構取付部８の両側に設けられているが、滑り止め部材５が人体１９の丸み２４又は凹凸に触れる位置であれば、どこでも良い。例えば、マッサージ機構取付部８の裏地７全域に設けても良い。さらに、滑り止め部材５は、滑り止め取付部１０に固定されているが、裏地７の素材に摩擦係数の高い素材を用いても良い。
【００３３】
加えて、本実施例では、袖部９の端部１５のどちらか一方の先端に磁石２３を内蔵し、他方の端部１５には図示せぬ鉄板を内蔵したとなっているが、両側の端部１５に磁石２３を内蔵しても良い。また、本実施例では磁石２３を用いているが、両側の端部１５を連結することができれば釦等でも良い。
【００３４】
＜実施例２＞
図７，８を用いて第２実施例のたたきマッサージ機１について説明する。なお、上記第１実施例と同構成部分については、同符号を付して重複した説明を省略する。
【００３５】
図７に示すように、本実施例では、本体部２の裏地７に形成された滑り止め部材５に凸部材１８が形成されている。
【００３６】
この凸部材１８が配置される位置は、図８に示すように、マッサージ機１を使用する人体１９の凹凸（鎖骨２５等）に引っ掛かる位置に形成されている。
【００３７】
凸部材１８を人体１９の凹凸に引っ掛かる位置に形成することによって、実施例１と同様にマッサージ機１が背中側（図８矢印方向）から落下することを防止することができ、マッサージ機１に余計な錘を配置することなくマッサージ機１使用者の負担を軽減することができる。
【００３８】
また、実施例２において、滑り止め部材５は略四角形状に形成されているが、滑り止め部材５が人体１９の凹凸に引っ掛かる位置であれば、どのような形状でも良い。
【００３９】
さらに、実施例２において滑り止め部材５は凸部材としたが、上記実施例１に記載したように摩擦力の高い滑り止め素材を使用した凸部材１８であっても良い。
【００４０】
さらに、本発明では、マッサージ機１に余計な錘を配置しないので、図９（ａ），（ｂ）に示すように、肩以外の患部（腰、背中等）に把持部１６を把持して使用する場合であっても、マッサージ機１使用者の負担を軽減することができる。
【産業上の利用可能性】
【００４１】
本発明は、マッサージ装置に余計な錘を配置することなくマッサージ装置が背中側から落下するのを防止することができるので、一般的なマッサージ装置として広く利用可能とすることができる。
【符号の説明】
【００４２】
１  マッサージ機
２  本体部
３  マッサージ機構
４  操作部
５  滑り止め部材
【図１】
2012040175.tif 000003
【図２】
2012040175.tif 000004
【図３】
2012040175.tif 000005
【図４】
2012040175.tif 000006
【図５】
2012040175.tif 000007
【図６】
2012040175.tif 000008
【図７】
2012040175.tif 000009
【図８】
2012040175.tif 000010
【図９】
2012040175.tif 000011